(57)【要約】【課題】  エンジンに過大な負荷をかけることがなく、エンジンの充分な耐久性を確保できる空調・発電システムを提供する。【解決手段】  エンジン１０によって駆動される圧縮機１２、室外熱交換器、減圧装置および室内熱交換器を有した空気調和装置と、エンジン１０によって駆動される発電機１１と、この発電機１１の出力側に接続されたインバータ３３とを備え、空調要求に応じた回転数でエンジン１０を駆動し、発電機１１の発電量が、前記回転数でのエンジン許容負荷に対応した発電量となるように、インバータ３３を制御する。【選択図】      図１
2006280074.tif 000002
【特許請求の範囲】
【請求項１】
エンジンによって駆動される圧縮機、室外熱交換器、減圧装置および室内熱交換器を有した空気調和装置と、前記エンジンによって駆動される発電機と、この発電機の出力側に接続されたインバータとを備え、空調要求に応じた回転数でエンジンを駆動し、前記発電機の発電量が、前記回転数でのエンジン許容負荷に対応した発電量となるように、前記インバータを制御することを特徴とする空調・発電システム。
【請求項２】
現在のエンジン負荷を取得する取得手段を備え、この取得手段で取得したエンジン負荷と、現在の回転数でのエンジン許容負荷との差により求めた発電量を現在の発電量に加算し、前記発電機の発電量が、加算した発電量となるように、前記インバータを制御することを特徴とする請求項１記載の空調・発電システム。
【請求項３】
加算した発電量が予め定めた最大発電量以下か否かを判定する判定手段を備え、この判定手段の判定結果に応じて、前記インバータを制御することを特徴とする請求項２記載の空調・発電システム。
【請求項４】
エンジンへの空気の供給量を調整するスロットル弁を有し、このスロットル弁の弁開度に応じて現在のエンジン負荷を推定することを特徴とする請求項２または３記載の空調・発電システム。
【発明の詳細な説明】
【技術分野】
【０００１】
本発明は、エンジンによって圧縮機および発電機を駆動して空調および発電を同時に行う空調・発電システムに関する。
【背景技術】
【０００２】
従来のエンジン駆動式空気調和装置では、冷媒を圧縮する圧縮機をガスエンジンなどのエンジンで駆動し、空調運転を行わせている。近年、このガスエンジンに発電機を連結し、この発電機で発電された電力を、例えば室外熱交換器への送風を行う送風機或いはエンジンを冷却する冷却水ポンプなどの負荷装置に供給し、電力供給レスの空調機の実現が模索されている（例えば、特許文献１参照）。
【特許文献１】特開平５−２３１７４５号公報
【発明の開示】
【発明が解決しようとする課題】
【０００３】
しかし、従来の構成では、エンジンに圧縮機および発電機の負荷が同時に加わるため、空調要求に応じて、圧縮機の負荷を増大する段階で、同時に発電要求が増大すれば、エンジンに過大な負荷がかかり、このエンジンが例えばエンストし、或いはエンジン耐久性が低下する等の問題がある。
【０００４】
そこで、本発明の目的は、上述した従来の技術が有する課題を解消し、エンジンに過大な負荷をかけることがなく、エンジンの充分な耐久性を確保できる空調・発電システムを提供することにある。
【課題を解決するための手段】
【０００５】
本発明は、エンジンによって駆動される圧縮機、室外熱交換器、減圧装置および室内熱交換器を有した空気調和装置と、前記エンジンによって駆動される発電機と、この発電機の出力側に接続されたインバータとを備え、空調要求に応じた回転数でエンジンを駆動し、前記発電機の発電量が、前記回転数でのエンジン許容負荷に対応した発電量となるように、前記インバータを制御することを特徴とする。
【０００６】
本発明では、例えば、空調要求と発電要求が同時に増大した場合、空調優先の運転が行われる。空調要求の増大に対応し、まず、エンジンの回転数が増し、この回転数に従って圧縮機が駆動される。すると、この回転数に従う冷媒吐出量が得られ、この冷媒量の循環により、空調要求に応じた空調が行われる。この回転数で空調運転した状態では、現在のエンジン負荷に余裕が生じる。本構成では、その回転数でのエンジン許容負荷に対応した発電量となるようにインバータを制御するため、常に、エンジン許容負荷一杯の発電が行われ、空調負荷が変動し回転数が変動しても、その回転数での発電可能な最大発電量を得ることができる。また、エンジン許容負荷一杯の発電であるため、エンジンに過大な負荷がかかることがなくなり、エンジン耐久性が確保される。この発電機の電力を、商用電源系統に出力するシステムであれば、常に、エンジン許容負荷一杯の発電が行われることにより、商用電源からの買電量が削減される。
【０００７】
この場合において、現在のエンジン負荷を取得する取得手段を備え、この取得手段で取得したエンジン負荷と、現在の回転数でのエンジン許容負荷との差により求めた発電量を現在の発電量に加算し、前記発電機の発電量が、加算した発電量となるように、前記インバータを制御してもよい。
また、加算した発電量が予め定めた最大発電量以下か否かを判定する判定手段を備え、この判定手段の判定結果に応じて、前記インバータを制御してもよい。エンジンへの空気の供給量を調整するスロットル弁を有し、このスロットル弁の弁開度に応じて現在のエンジン負荷を推定してもよい。
【発明の効果】
【０００８】
本発明では、常に、エンジン許容負荷一杯の発電が行われ、空調負荷が変動し回転数が変動しても、その回転数での発電可能な最大発電量を得ることができる。また、エンジン許容負荷一杯の発電であるため、エンジンに過大な負荷がかかることがなくなり、エンジン耐久性が確保される。
【発明を実施するための最良の形態】
【０００９】
本発明の実施の形態について図を参照しながら以下に説明する。
図１は、ガスエンジン駆動式の空気調和装置１を示す。この空気調和装置１は、室外ユニット２と複数の室内ユニット３ａ〜３ｃとを有し、これらを液管４ａおよびガス管４ｂからなるユニット間配管４で接続して構成されている。室外ユニット２には、ガスエンジン１０と、このガスエンジン１０の駆動力により発電を行う発電機１１と、ガスエンジン１０の駆動力により冷媒を圧縮する圧縮機１２とが収容されている。このガスエンジン１０は、燃料調整弁７を経て供給されるガスなどの燃料と、スロットル弁８を経て供給される空気との混合気を燃焼させて駆動力を発生する。
【００１０】
上記圧縮機１２は、大小異容量の圧縮機１２ａ，１２ｂで構成され、２台が並列に、ガスエンジン１０に対し、それぞれ電磁クラッチ１４ａ，１４ｂを介して接続されている。これら圧縮機１２ａ，１２ｂの吐出管１２ｃは、プレート式熱交換器３１、四方弁１５、室外熱交換器１７の順に接続され、この室外熱交換器１７には、液管４ａを介して、各室内ユニット３の膨張弁１９ａ〜１９ｃ、室内熱交換器２１ａ〜２１ｂが接続され、室内熱交換器２１ａ〜２１ｂには、ガス管４ｂを介して、四方弁１５が接続され、この四方弁１５には、圧縮機１２ａ，１２ｂが接続されている。また、この圧縮機１２ａ，１２ｂの吐出管１２ｃおよび吸込管１２ｄが、バイパス管１８で接続され、このバイパス管１８に、アンロード用のバイパス弁２０が接続されている。
【００１１】
ちなみに、圧縮機１２ａ，１２ｂが駆動されると、四方弁１５の切り替え状態で、それが暖房切り替えであれば、実線の矢印で示すように、圧縮機１２ａ，１２ｂ、四方弁１５、室内熱交換器２１ａ〜２１ｂ、膨張弁１９ａ〜１９ｃ、室外熱交換器１７の順に冷媒が循環し、室内熱交換器２１ａ〜２１ｂでの冷媒凝縮熱により室内が暖房される。これとは反対に、四方弁１５が冷房切り替えであれば、破線の矢印で示すように、圧縮機１２ａ，１２ｂ、四方弁１５、室外熱交換器１７、膨張弁１９ａ〜１９ｃ、室内熱交換器２１ａ〜２１ｂの順に冷媒が循環し、この室内熱交換器２１ａ〜２１ｂでの冷媒蒸発熱により室内が冷房される。
【００１２】
つぎに、ガスエンジン１０の冷却装置について説明する。
このガスエンジン１０は水冷式であり、このガスエンジン１０のウォータージャケットを循環した冷却水は、第１の三方弁２２、逆潮流ヒータ２３および第２の三方弁２４を経て、ラジエター２５に供給される。このラジエター２５は、室外熱交換器１７と併設されており、これらは同一の送風機２６により送られる空気によって空冷され、このラジエター２５を経た冷却水は、冷却水ポンプ２７、排ガス熱交換器２９の順に流れて、ガスエンジン１０のウォータージャケットに戻される。
排ガス熱交換器２９には、ガスエンジン１０の排気ガスが通され、この排気ガスは、排気トップ３０を経て、室外ユニット２の外に排出される。
【００１３】
上述した第１の三方弁２２は冷却水温度で自動的に切り替えられる。すなわち、冷却水温度が所定温度よりも低い場合、ガスエンジン１０のウォータージャケットからの冷却水を、ラジエター２５をバイパスし、直接、冷却水ポンプ２７、排ガス熱交換器２９の順に導いて、上記ウォータージャケットに戻す。
第２の三方弁２４は、例えば暖房運転時に切り替えられ、この場合、冷却水はラジエター２５をバイパスし、プレート式熱交換器３１を経て、冷却水ポンプ２７、排ガス熱交換器２９の順に流れ、ウォータージャケットに戻される。
【００１４】
つぎに、発電機１１による発電系統について説明する。
この発電機１１には、系統連系インバータ３３が接続され、この系統連系インバータ３３は、発電機１１からの三相交流電力を、ＡＣ／ＤＣコンバータを介して、直流電力に変換した後、２００Ｖの三相交流の電力に変換して、商用系統３５に出力する。この商用系統３５は、商用電源３６と、ブレーカ３７と、需要家負荷３８とを含み、系統連系インバータ３３は、ブレーカ３７と、需要家負荷３８との間に接続されている。
【００１５】
また、この系統連系インバータ３３は、上述した逆潮流ヒータ２３に適宜電力を供給すると共に、室外ユニット２の室外側コントローラ３９に、通信線４０を介して通信可能に接続されている。そして、この室外側コントローラ３９は、商用系統３５から電源線４１を介して動作電源を得ると共に、通信線４２を介して各室内ユニット３の室内側コントローラに通信可能に接続されている。
【００１６】
この系統連系インバータ３３には、商用電源３６およびブレーカ３７の間に設置された電力検出器４３が接続されている。この電力検出器４３は、商用系統３５に供給される電力値をリアルタイムに取得し、この取得した電力値データが、系統連系インバータ３３に入力され、通信線４０を介して室外側コントローラ３９に送られる。
また、系統連系インバータ３３は、発電機１１の発電量を制御する機能を有し、必要に応じ、発電量を減少または増大させる。
【００１７】
上記構成において、例えば室内ユニット３側の空調要求に応じて、圧縮機１２ａ，１２ｂの負荷が増大すると共に、商用系統３５の需要家負荷３８の増大に応じて、発電要求が増大した場合、エンジン１０の負荷が増大する。
需要家負荷３８は、電力検出器４３、系統連系インバータ３３および室外側コントローラ３９により常時監視されている。
【００１８】
図２は、制御フローを示す。
この処理フローでは、各室内ユニット３からの空調要求に応じて、エンジン１０が駆動中であることが前提になっている。従って、空調負荷がない場合には、エンジン１０が運転しておらず、発電は行われていない。エンジン運転中（Ｓ１）に、最小発電量以上の発電要求があるか否かが判定され（Ｓ２）、発電要求がない場合、系統連系インバータ３３に対し、発電を許可しない（Ｓ３）。発電を許可しないと、系統連系インバータ３３から商用系統３５への出力はなく、従って、発電機１１の電流が減少して、エンジン１０に対する負荷が減少する。この場合、需要家負荷３８側は、専ら、商用電源３６からの電力によって駆動される。
【００１９】
Ｓ２で、発電要求がある場合、まず、現在のエンジン１０の負荷レベルが取得される（Ｓ４）。この現在の負荷レベルは、スロットル弁８（図１）の弁開度に応じて推定される。このスロットル弁８は、エンジン１０の空気量調整弁であり、スロットル弁８の弁開度を、例えば７段階（レベル：０＜負荷大＞〜６＜負荷小＞）に分類し、このレベル毎に、予め関連した負荷レベルを求め、例えばこれらをマップ化すれば、スロットル弁８の弁開度に応じ負荷レベルを推定できる。
【００２０】
ついで、現在の負荷レベルと、エンジン許容負荷レベルとの差により求めた発電量を、現在の発電量に加算する（Ｓ５）。具体的には、例えば、図３に示すように、曲線Ｔをエンジン許容負荷レベル（許容トルク）とした場合、現在のエンジン回転数Ｒ１に対応する現在のエンジン負荷レベルＴ１と、その回転数Ｒ１でのエンジン許容負荷レベルＴ２との差の負荷レベルＴ３を求め、この負荷レベルＴ３に対応した発電量Ｑ１を、予め定めた負荷レベル・発電量マップ等から求め、或いは所定の演算式から求め、この求めた発電量Ｑ１を、現在の発電量Ｑに加算する。
そして、この発電量Ｑ２（＝Ｑ１＋Ｑ）が、予め定めた最大発電量以下か否かを判定する（Ｓ６）。この最大発電量は、仕様（定格）発電量であってもよく、或いはそれ以下の所定発電量であってもよい。この最大発電量は、エンジン１０の回転速度および負荷レベルによって変動する。
【００２１】
Ｓ６において、発電量Ｑ２が、最大発電量以下であれば、系統連系インバータ３３に発電量Ｑ２の発電を許可する（Ｓ７）。また、最大発電量以上であれば、エンジン１０の過負荷を防止するため、系統連系インバータ３３に発電量Ｑ２の発電を許可せず、最大発電量に止めた発電を許可する（Ｓ８）。
【００２２】
本実施形態では、例えば、空調要求と発電要求が同時に増大した場合において、空調優先の運転が行われる。すなわち、空調要求が増大すると、空調要求に応じてエンジン回転数が増し、この回転数に従って圧縮機１２が駆動される。
すると、この回転数に従う冷媒吐出量が得られ、この冷媒量の循環により、空調要求に応じた空調が行われる。
【００２３】
この回転数で空調運転した状態では、エンジン負荷に余裕が生じる。本構成では、その回転数でのエンジン許容負荷に対応した発電量となるようにインバータ３３の出力を制御するため、常に、エンジン許容負荷一杯の発電が行われ、空調負荷が変動し回転数が変動しても、その回転数での発電可能な最大発電量を得ることができる。
また、エンジン許容負荷一杯の発電であるため、エンジン１０に過大な負荷がかかることがなく、エンジン耐久性が確保される。
【００２４】
本実施形態では、発電機１１の電力を、商用電源系統に出力するシステムであるため、常に、エンジン許容負荷一杯の発電が行われることにより、商用電源３６からの買電量を削減することができる。
【００２５】
以上、一実施形態に基づいて、本発明を説明したが、本発明は、これに限定されるものではない。例えば、系統連系インバータ３３は、室外ユニット２とは別置きとなっていたが、室外ユニット２に一体的に収納されていてもよい。また、室外ユニット２が複数台設置の場合、各室外ユニット２に系統連系インバータ３３を設置し、これら系統連系インバータ３３を変換機で接続し、この変換機が、各系統連系インバータ３３に出力制御指示を行うようにすればよい。また、本実施形態では、インバータから供給される電源を三相２００Ｖとしたが、三相１００Ｖでもよく、単相三線式としてもよい。
【図面の簡単な説明】
【００２６】
【図１】本発明の一実施形態を示す回路図である。
【図２】処理フローを示す図である。
【図３】エンジン許容負荷レベルを説明する図である。
【符号の説明】
【００２７】
１  エンジン駆動式空気調和装置
２  室外ユニット
３  室内ユニット
８  スロットル弁
１０  エンジン
１１  発電機
３３  系統連系インバータ
３５  商用系統
３６  商用電源
３７  ブレーカ
３８  需要家負荷
３９  室外側コントローラ
４３  電力検出器
【図１】
2006280074.tif 000003
【図２】
2006280074.tif 000004
【図３】
2006280074.tif 000005